(57)【要約】【課題】使用者及び周囲に迷惑をかけることなく、メール受信後にメールが到達したことを確実に使用者に認知させること。【解決手段】携帯端末装置１０は、メールの送受信を行う送受信部１１と、メール受信の報知動作を行う報知部１３と、各部を制御する制御部１８とを備え、制御部１８により、予め設定された所定期間内にメールを受信した際には報知動作を行わず、所定期間終了時に報知動作を行うよう報知部１３を制御する。【選択図】　図１
2004056637.tif 000002
【特許請求の範囲】
【請求項１】
メールの受信を行う受信部と、
前記受信部のメール受信に応じて、メールの受信を報知する報知部と、
予め設定された所定期間内に前記受信部がメールを受信した場合に、前記所定期間終了後にメール受信の報知を行うよう前記報知部を制御する制御部と、
を備えることを特徴とする受信メール報知装置。
【請求項２】
当該受信メール報知装置を操作するための操作部をさらに備え、
前記制御部は、前記所定期間内に前記操作部に対して何らかの操作が行われた場合には、メール受信の報知を行うよう前記報知部を制御することを特徴とした請求項１に記載の受信メール報知装置。
【請求項３】
前記制御部は、前記報知部によりメール受信の報知が行われた後、前記受信したメールが未読の場合には、一定時間毎にメール受信の報知を繰り返すよう前記報知部を制御することを特徴とした請求項１に記載の受信メール報知装置。
【請求項４】
前記受信部により受信したメールのメール本文から特定文字列を検出する検出部をさらに備え、
前記所定期間内に前記検出部が前記メール本文から特定文字列を検出した場合には、前記制御部はメール受信の報知を行うよう前記操作部を制御することを特徴とした請求項１ないし３のいずれかに記載の受信メール報知装置。
【請求項５】
メールアドレス及び該メールアドレスに関連付けられた特定文字列を記憶したメールアドレス記憶部と、
前記受信部により受信したメールが前記メールアドレス記憶部に記憶されたメールアドレスから送信されている場合には、前記メールのメール本文から送信元であるメールアドレスに関連付けられた特定文字列を検出する検出部とをさらに備え、
前記所定期間内に前記検出部が前記メール本文から特定文字列を検出した場合には、前記制御部はメール受信の報知を行うように前記報知部を制御することを特徴とした請求項１ないし３のいずれかに記載の受信メール報知装置。
【請求項６】
メールの受信を行うステップと、
前記メールの受信が予め設定された所定期間内に行われたか否かを判定するステップと、
前記所定期間内にメールを受信した場合は、前記所定期間終了後に前記メールの受信を報知するステップと、
を有することを特徴とする受信メール報知方法。
【請求項７】
前記報知ステップは、前記所定期間内に何らかの操作が行われた場合にはメール受信の報知を行うことを特徴とした請求項６に記載の受信メール報知方法。
【請求項８】
前記報知ステップは、前記メール受信の報知が行われた後、前記受信したメールが未読の場合には、一定時間毎にメール受信の報知を繰り返すことを特徴とした請求項６に記載の受信メール報知方法。
【請求項９】
前記受信したメールのメール本文から特定文字列を検出するステップをさらに備え、
前記報知ステップは、前記所定期間に前記検出ステップにて前記メール本文から特定文字列を検出した場合には、メール受信の報知を行うことを特徴とした請求項６ないし８のいずれかに記載の受信メール報知方法。
【発明の詳細な説明】
【０００１】
【発明の属する技術分野】
本発明は、メール受信の報知動作を制御する受信メール報知装置及び受信メール報知方法に関する。
【０００２】
【従来の技術】
従来の携帯電話機やＰＤＡ（携帯情報端末）などの携帯端末装置は、メールを受信すると、鳴音動作やバイブレータ動作にてメール受信を使用者に報知することにより、使用者にメールが到達したことを認知させている。使用者は、周囲の状況に合わせて、メール受信時の報知動作として、鳴音動作及びバイブレータ動作のいずれか一方、又は、両方を選択することができる。
【０００３】
【発明が解決しようとする課題】
メールの送受信は、音声通話とは異なり、ネットワーク上での遅延等により、送信側でのメール送信時刻と受信側でのメール受信時刻との間で時間差が生じる。例えば、昼間に送信したメールが、深夜に受信されることがある。この場合、使用者がメール受信時の報知動作として鳴音動作を選択しているときには、使用者及びその周囲の人に対して迷惑となるという問題があった。
【０００４】
この対策として、鳴音動作の代わりにバイブレータ動作を選択することも可能であるが、就寝中などは携帯端末装置が身体から離れているために、使用者は報知動作を認知できないことが多い。このため、起床後に使用者が携帯端末装置のメール受信状態を確認しない限り、使用者はメール受信を認知できない。
【０００５】
本発明は、上記事情に鑑みてなされてものであって、その目的は、使用者及び周囲に迷惑をかけることなく、メール受信後にメールが到達したことを確実に認知させることができる受信メール報知装置及び受信メール報知方法を提供することにある。
【０００６】
【課題を解決するための手段】
本発明の受信メール報知装置は、メールの受信を行う受信部と、前記受信部メールの受信に応じて、メールの受信を報知する報知部と、予め設定された所定期間内に前記受信部がメールを受信した場合に、前記所定期間終了後にメール受信の報知を行うよう前記報知部を制御する制御部と、を備えたものである。
【０００７】
上記構成の受信メール報知装置により、予め設定した所定期間内においては、メールを受信してもメール受信の報知動作を行わないため、前記所定期間中にメール受信の報知動作により使用者及び周囲の人に迷惑をかけることはない。
【０００８】
また、本発明の受信メール報知装置は、上記受信メール報知装置において、当該受信メール報知装置を操作するための操作部をさらに備え、前記制御部は、前記所定期間内に前記操作部に対して何らかの操作が行われた場合には、メール受信の報知を行うよう前記報知部を制御するものである。
【０００９】
上記構成の受信メール報知装置により、所定期間内であっても操作部に対して何らかの操作が行われた場合にはメール受信の報知動作を行うため、使用者は所定期間内でも必要な時にメール受信を確認することが可能となる。
【００１０】
また、本発明の受信メール報知装置は、上記受信メール報知装置において、前記制御部は、前記報知部によりメール受信の報知が行われた後、前記受信したメールが未読の場合には、一定時間毎にメール受信の報知を繰り返すように前記報知部を制御するものである。
【００１１】
上記構成の受信メール報知装置により、所定期間が終了してメール受信の報知が行われた後でも受信したメールが未読の場合には、一定時間毎にメール受信の報知動作を繰り返し行うため、メール受信の認知を確実にすることが可能となる。
【００１２】
また、本発明の受信メール報知装置は、上記受信メール報知装置において、前記受信部により受信したメールのメール本文から特定文字列を検出する検出部をさらに備え、前記所定期間内に前記検出部が前記メール本文から特定文字列を検出した場合には、前記制御部はメール受信の報知を行うように前記操作部を制御するものである。
【００１３】
上記構成の受信メール報知装置により、所定期間内であっても受信したメール本文に特定文字列を検出した場合には報知動作を行うため、緊急に既読が必要なメールを受信した場合に、使用者にメール受信を確実に認知させることが可能となる。
【００１４】
また、本発明の受信メール報知装置は、上記受信メール報知装置において、メールアドレス及び該メールアドレスに関連付けられた特定文字列を記憶したメールアドレス記憶部と、前記受信部により受信したメールが前記メールアドレス記憶部に記憶されたメールアドレスから送信されている場合には、前記メールのメール本文から送信元であるメールアドレスに関連付けられた特定文字列を検出する検出部とをさらに備え、前記所定期間内に前記検出部が前記メール本文から特定文字列を検出した場合には、前記制御部はメール受信の報知を行うように前記報知部を制御するものである。
【００１５】
上記構成の受信メール報知装置により、所定期間内であっても予め記憶されたメールアドレスから送信されたメールの本文中に特定文字列を検出した場合には報知動作を行うため、緊急に既読が必要なメールを受信した場合に、使用者にメール受信を確実に認知させることが可能となる。
【００１６】
本発明の受信メール報知方法は、メールの受信を行うステップと、前記メールの受信が予め設定された所定期間内に行われたか否かを判定するステップと、前記所定期間内にメールを受信した場合は、前記所定期間終了後に前記メールの受信を報知するステップと、を有するものである。
【００１７】
上記構成の受信メール報知方法により、予め設定した所定期間内においては、メールを受信してもメール受信の報知動作を行わないため、前記所定期間中にメール受信の報知動作により使用者及び周囲の人に迷惑をかけることはない。
【００１８】
また、本発明の受信メール報知方法は、上記受信メール報知方法において、前記報知ステップは、前記所定期間内に何らかの操作が行われた場合にはメール受信の報知を行うものである。
【００１９】
上記構成の受信メール報知方法により、所定期間内であっても操作部に対して何らかの操作が行われた場合にはメール受信の報知動作を行うため、使用者は所定期間内でも必要な時にメール受信を確認することが可能となる。
【００２０】
また、本発明の受信メール報知方法は、上記受信メール報知方法において、前記報知ステップは、前記メール受信の報知が行われた後、前記受信したメールが未読の場合には、一定時間毎にメール受信の報知を繰り返すものである。
【００２１】
上記構成の受信メール報知方法により、所定期間が終了してメール受信の報知が行われた後でも受信したメールが未読の場合には、一定時間毎にメール受信の報知動作を繰り返し行うため、メール受信の認知を確実にすることが可能となる。
【００２２】
また、本発明の受信メール報知方法は、上記受信メール報知方法において、前記受信したメールのメール本文から特定文字列を検出するステップをさらに備え、前記報知ステップは、前記所定期間に前記検出ステップにて前記メール本文から特定文字列を検出した場合には、メール受信の報知を行うものである。
【００２３】
上記構成の受信メール報知方法により、所定期間内であっても受信したメール本文に特定文字列を検出した場合には報知動作を行うため、緊急に既読が必要なメールを受信した場合に、使用者にメール受信を確実に認知させることが可能となる。
【００２４】
【発明の実施の形態】
以下、本発明の受信メール報知装置及び受信メール報知方法の実施形態について図面を参照して詳細に説明する。
【００２５】
図１は、本発明の一実施形態に係る携帯端末装置（受信メール報知装置）の構成を示すブロック図である。図１に示すように、本実施形態の携帯端末装置１０は、送受信部１１と、時計部１２と、報知部１３と、受信メール記憶部１４と、メールアドレス記憶部１５と、操作部１６と、検出部１７と、制御部１８とを備える。
【００２６】
以下、携帯端末装置１０が有する構成要素について説明する。
送受信部１１は、アンテナを介してメールを含む情報の送受信を行うものである。時計部１２は、時刻情報を生成するものである。報知部１３は、送受信部１１がメールを受信すると、鳴音動作やバイブレータ動作等の報知動作を行うことにより、メール受信を使用者に報知するものである。
【００２７】
受信メール記憶部１４は、送受信部１１により受信したメールを記憶するものである。受信メール記憶部１４に記憶される受信メールの一例としては、図２に示すように、送信元メールアドレス、メール本文、既読フラグから構成されている。また、メールアドレス記憶部１５は、図３に示すように、メールアドレス及び各メールアドレスに関係付けられた特定文字列を記憶するものである。
【００２８】
操作部１６は、携帯端末装置１０の様々な設定を行う手段として操作されるものである。より詳しくは、使用者は、操作部１６を操作することにより、報知部１３によるメール受信の報知動作を抑制する所定期間の設定、メールアドレスや特定文字列の設定、受信メールを既読とするための操作等を行うことができる。
報知部１３の報知動作を抑制する所定期間の設定は、例えば、報知動作の抑制の開始時刻及び終了時刻を設定することにより行われる。
【００２９】
検出部１７は、送受信部１１により受信されたメールの送信元メールアドレスに関連付けられた特定文字列（例えば、「緊急」）をメール本文から検出するものである。より詳しくは、検出部１７は、所定期間内に送受信部１１により受信したメールの送信元メールアドレスが、メールアドレス記憶部１５に記憶されているメールアドレス中に含まれている場合には、当該送信元メールアドレスに関連付けられた特定文字列が、メール本文に含まれているかを判定する。
【００３０】
制御部１８は、上記各部の動作を制御するものである。特に、本発明に係る制御部１８は、予め設定された所定期間内に、送受信部１１がメールを受信してもメール受信の報知動作を行わず、所定期間が終了した時にメール受信の報知動作を行うよう報知部１３を制御する。また、制御部１８は、所定期間内であっても、検出部１７がメール本文から所定の特定文字列を検出した場合、或いは、操作部１６に対して何らかの操作が行われた場合は、メール受信の報知動作を行うよう報知部１３を制御する。さらに、制御部１８は、所定期間が終了してメール受信の報知動作が行われた後、操作部１６に対して受信メールを既読とする操作が行われなかった場合には、一定時間毎に報知動作を繰り返すよう報知部１３を制御する。
【００３１】
次に、上記構成の携帯端末装置におけるメール受信の報知方法について、図４を参照して詳細に説明する。
【００３２】
メール受信の報知動作が抑制される所定期間（例えば、就寝時間）の設定、及びメールアドレスや特定文字列の設定は、使用者により操作部１６を介して予め行われているものとする。
【００３３】
まず、携帯端末装置１０は、送受信部１１によりメールを受信する（ステップＳ１）と、制御部１８によりメールの受信時刻が予め設定された所定期間内（開始時刻から終了時刻までの間）であるか否かを判定する（ステップＳ２）。そして、メールの受信時刻が所定期間外の場合には、制御部１８はメール受信の報知動作を行うよう報知部１３を制御する（ステップＳ３）。一方、メール受信時刻が所定期間内であり、受信したメールの送信元メールアドレスがメールアドレス記憶部１５に記憶されている場合には、検出部１７により、メール本文に当該送信元メールアドレスに関連付けられた特定文字列（例えば、「緊急」）が存在するか否かを判定する（ステップＳ４）。そして、メール本文から特定文字列を検出した場合は、制御部１８はメール受信の報知動作を行うよう報知部１３を制御する（ステップＳ５）。
【００３４】
一方、メール本文に特定文字列が含まれていない場合であっても、操作部１６に対して何らかの操作が行われた場合は、制御部１８がメール受信の報知動作を行うように報知部１３を制御する（ステップＳ６及びステップＳ７）。また、操作部１６に対して何も操作が行われないまま、終了時刻を迎えると（ステップＳ８）、制御部１８は、所定期間中に受信したメールの報知動作を行うよう制御部３を制御する（ステップＳ９）。
【００３５】
次に、制御部１８により、受信メールに含まれる既読フラッグに基づいて、受信メールが未読又は既読であるか、即ち、操作部１６に対して受信メールを既読とするための操作が行われたか否かが判定される（ステップＳ１０）。そして受信メールが未読の場合は、制御部１８により一定時間毎に報知動作を繰り返すよう報知部１３を制御する（ステップＳ１１）。
【００３６】
以上説明したように、本実施形態の受信メール報知装置及び受信メール報知方法は、予め設定された所定期間内は、メールを受信してもメール受信の報知動作を行わないため、たとえば就寝時間を所定期間として設定しておけば、当該期間は報知動作により睡眠を邪魔されることがない。そして、ユーザーが起床して終了時刻を迎えたときに報知動作を行うため、使用者に確実にメール受信を認知することができる。
【００３７】
また、予め設定したメールアドレスから送信されたメールの本文中に予め設定した特定文字列を検出した場合、例えば、「緊急」を特定文字列として設定した場合、所定期間内であってもメール受信の報知動作を行う為ため、緊急時にはメール受信を確実に認知させることができる。
【００３８】
また、所定期間内であっても使用者が操作部に対して何らかの操作が行われた場合には、所定期間内であってもメール受信の報知動作を行うため、使用者が必要な時にメール受信を確認することができる。
【００３９】
また、終了時刻を迎えて報知動作を行っても、その受信メールが未読の場合、即ち、使用者による既読とする操作が行われていないときは、一定時間毎に報知動作を繰り返し行うため、メール受信の認知を確実にすることができる。
【００４０】
【発明の効果】
以上説明したように、本発明によれば、使用者及び周囲に迷惑をかけることなく、メール受信後にメールが到達したことを確実に認知させることができる。
【図面の簡単な説明】
【図１】本発明の実施形態に係る携帯端末装置の構成を示すブロック図
【図２】本発明の実施形態に係る受信メール記憶部に記憶された受信メールの構成を示す図
【図３】本発明の実施携帯に係るメールアドレス記憶部に記憶されたメールアドレス及び特定文字列の構成を示す図
【図４】本発明の実施形態に係る携帯端末装置における受信メールの報知方法を示すフローチャート
【符号の説明】
１０　携帯端末装置
１１　送受信部
１２　時計部
１３　報知部
１４　受信メール記憶部
１５　メールアドレス記憶部
１６　操作部
１７　検出部
１８　制御部
【図１】
2004056637.tif 000003
【図２】
2004056637.tif 000004
【図３】
2004056637.tif 000005
【図４】
2004056637.tif 000006